(57)【特許請求の範囲】
【請求項１】
異なる周波数帯の複数の無線信号を含む受信信号を増幅して出力する低雑音増幅部と、
前記低雑音増幅部から出力される前記無線信号それぞれを予め定められた周波数帯域内に所定の周波数間隔を隔てて前記無線信号の周波数順を維持しつつ周波数変換する第１の周波数変換部と、
前記低雑音増幅部から出力される前記無線信号それぞれを前記第１の周波数変換部による周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換部と、
前記第１の周波数変換部及び前記第２の周波数変換部により得られた信号それぞれをデジタル信号に変換し、当該デジタル信号を多重化した多重化信号を送信する送信部と、
前記送信部から多重化信号を受信し２つのデジタル信号に分離し当該デジタル信号をアナログ信号に変換する受信部と、
２つの前記アナログ信号を加算する信号加算部と、
２つの前記アナログ信号を減算する信号減算部と、
を備えることを特徴とする信号伝送システム。
【請求項２】
異なる周波数帯の複数の無線信号を含む受信信号を増幅して出力する低雑音増幅部と、
前記低雑音増幅部から出力される前記無線信号それぞれを予め定められた周波数帯域内に所定の周波数間隔を隔てて前記無線信号の周波数順を維持しつつ周波数変換する第１の周波数変換部と、
前記低雑音増幅部から出力される前記無線信号それぞれを前記第１の周波数変換部による周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換部と、
前記第１の周波数変換部及び前記第２の周波数変換部により得られた信号それぞれをデジタル信号に変換し、当該デジタル信号を多重化した多重化信号を送信する送信部と、
を備えることを特徴とする信号伝送装置。
【請求項３】
異なる周波数帯の複数の無線信号を含む受信信号を増幅して出力する低雑音増幅部と、前記低雑音増幅部から出力される前記無線信号それぞれを予め定められた周波数帯域内に所定の周波数間隔を隔てて前記無線信号の周波数順を維持しつつ周波数変換する第１の周波数変換部と、前記低雑音増幅部から出力される前記無線信号それぞれを前記第１の周波数変換部による周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換部と、前記第１の周波数変換部及び前記第２の周波数変換部により得られた信号それぞれをデジタル信号に変換し、当該デジタル信号を多重化した多重化信号を送信する送信部と、を備えた装置から、前記多重化信号を受信し２つのデジタル信号に分離し当該デジタル信号をアナログ信号に変換する受信部と、
２つの前記アナログ信号を加算する信号加算部と、
２つの前記アナログ信号を減算する信号減算部と、
を備えることを特徴とする信号伝送装置。
【請求項４】
異なる周波数帯の複数の無線信号を含む受信信号を増幅して出力する低雑音増幅ステップと、
前記低雑音増幅ステップにおいて出力される前記無線信号それぞれを予め定められた周波数帯域内に所定の周波数間隔を隔てて前記無線信号の周波数順を維持しつつ周波数変換する第１の周波数変換ステップと、
前記低雑音増幅ステップにおいて出力される前記無線信号それぞれを前記第１の周波数変換ステップによる周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換ステップと、
前記第１の周波数変換ステップ及び前記第２の周波数変換ステップにおいて得られた信号それぞれをデジタル信号に変換し、当該デジタル信号を多重化した多重化信号を送信する送信ステップと、
前記送信ステップで送信された多重化信号を受信し２つのデジタル信号に分離し当該デジタル信号をアナログ信号に変換する受信ステップと、
２つの前記アナログ信号を加算する信号加算ステップと、
２つの前記アナログ信号を減算する信号減算ステップと、
を有することを特徴とする信号伝送方法。
【発明の詳細な説明】
【技術分野】
【０００１】
本発明は、信号伝送システム、信号伝送装置、及び信号伝送方法に関する。
【背景技術】
【０００２】
周波数分割多重によって伝送された複数の信号を異なる周波数の無線信号に変換し無線伝送する無線通信装置が非特許文献１に記載されている。この無線通信装置では、周波数分割多重によって伝送された複数の信号を帯域通過フィルタ回路によって分離している。
【先行技術文献】
【非特許文献】
【０００３】
【非特許文献１】森広芳照、加藤修三、大貫雅史、「衛星中継網方式−ＤＹＡＮＥＴ−」、電子情報通信学会誌、Vol.74、No.5、pp.439-456、1991年5月
【発明の概要】
【発明が解決しようとする課題】
【０００４】
前述の無線通信装置のように、周波数分割多重によって複数の信号を効率よく伝送するために信号の周波数間隔を狭めて伝送した場合、各信号を分離する帯域通過フィルタ回路には急峻な周波数分離特性が求められる。しかし、急峻な周波数分離特性を満たすためには、帯域通過フィルタ回路の回路規模が大きくなったり、コストが高くなったりしてしまうという課題があった。
【０００５】
上記事情に鑑み、本発明は、周波数間隔を狭めて伝送された信号を分離する帯域通過フィルタに要求される周波数分離特性を緩和することができる信号伝送システム、信号伝送装置、及び信号伝送方法を提供することを目的としている。
【課題を解決するための手段】
【０００６】
本発明の一態様は、異なる周波数帯の複数の無線信号を含む受信信号を増幅して出力する低雑音増幅部と、前記低雑音増幅部から出力される前記無線信号それぞれを予め定められた周波数帯域内に所定の周波数間隔を隔てて前記無線信号の周波数順を維持しつつ周波数変換する第１の周波数変換部と、前記低雑音増幅部から出力される前記無線信号それぞれを前記第１の周波数変換部による周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換部と、前記第１の周波数変換部及び前記第２の周波数変換部により得られた信号それぞれをデジタル信号に変換し、当該デジタル信号を多重化した多重化信号を送信する送信部と、前記送信部から多重化信号を受信し２つのデジタル信号に分離し当該デジタル信号をアナログ信号に変換する受信部と、２つの前記アナログ信号を加算する信号加算部と、２つの前記アナログ信号を減算する信号減算部と、を備えることを特徴とする信号伝送システムである。
【０００７】
また、本発明の一態様は、異なる周波数帯の複数の無線信号を含む受信信号を増幅して出力する低雑音増幅部と、前記低雑音増幅部から出力される前記無線信号それぞれを予め定められた周波数帯域内に所定の周波数間隔を隔てて前記無線信号の周波数順を維持しつつ周波数変換する第１の周波数変換部と、前記低雑音増幅部から出力される前記無線信号それぞれを前記第１の周波数変換部による周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換部と、前記第１の周波数変換部及び前記第２の周波数変換部により得られた信号それぞれをデジタル信号に変換し、当該デジタル信号を多重化した多重化信号を送信する送信部と、を備えることを特徴とする信号伝送装置である。
【０００８】
また、本発明の一態様は、異なる周波数帯の複数の無線信号を含む受信信号を増幅して出力する低雑音増幅部と、前記低雑音増幅部から出力される前記無線信号それぞれを予め定められた周波数帯域内に所定の周波数間隔を隔てて前記無線信号の周波数順を維持しつつ周波数変換する第１の周波数変換部と、前記低雑音増幅部から出力される前記無線信号それぞれを前記第１の周波数変換部による周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換部と、前記第１の周波数変換部及び前記第２の周波数変換部により得られた信号それぞれをデジタル信号に変換し、当該デジタル信号を多重化した多重化信号を送信する送信部と、を備えた装置から、前記多重化信号を受信し２つのデジタル信号に分離し当該デジタル信号をアナログ信号に変換する受信部と、２つの前記アナログ信号を加算する信号加算部と、２つの前記アナログ信号を減算する信号減算部と、を備えることを特徴とする信号伝送装置である。
【０００９】
また、本発明の一態様は、異なる周波数帯の複数の無線信号を含む受信信号を増幅して出力する低雑音増幅ステップと、前記低雑音増幅ステップにおいて出力される前記無線信号それぞれを予め定められた周波数帯域内に所定の周波数間隔を隔てて前記無線信号の周波数順を維持しつつ周波数変換する第１の周波数変換ステップと、前記低雑音増幅ステップにおいて出力される前記無線信号それぞれを前記第１の周波数変換ステップによる周波数変換で得られた対応する信号に対して同相の信号と逆相の信号とが周波数順に交互に並ぶように、前記第１の周波数変換部による周波数変換で得られた対応する信号と同一の周波数に周波数変換する第２の周波数変換ステップと、前記第１の周波数変換ステップ及び前記第２の周波数変換ステップにおいて得られた信号それぞれをデジタル信号に変換し、当該デジタル信号を多重化した多重化信号を送信する送信ステップと、前記送信ステップで送信された多重化信号を受信し２つのデジタル信号に分離し当該デジタル信号をアナログ信号に変換する受信ステップと、２つの前記アナログ信号を加算する信号加算ステップと、２つの前記アナログ信号を減算する信号減算ステップと、を有することを特徴とする信号伝送方法である。
【発明の効果】
【００１０】
本発明によれば、第２の周波数変換部から出力される信号において隣り合う無線信号は第１の周波数変換部から出力される信号に対して逆相になっているので、信号加算部から出力される信号において各無線信号に隣り合う他の無線信号が打ち消される。また、信号減算部から出力される信号においては、信号加算部から出力される信号において打ち消された各無線信号に隣り合う他の無線信号が打ち消される。これにより、信号加算部及び信号減算部から出力される信号において無線信号間の間隔は広がるので、無線信号を分離する帯域通過フィルタに要求される周波数分離特性を緩和することができる。
【図面の簡単な説明】
【００１１】
【図１】本発明に係る本実施形態における信号伝送システムの構成例を示すブロック図である。
【図２】同実施形態における信号伝送システムの動作概要の一例を示す図である。
【発明を実施するための形態】
【００１２】
以下、図面を参照して、本発明に係る実施形態における信号伝送システム、信号伝送装置、及び信号伝送方法を説明する。図１は、本実施形態における信号伝送システムの構成例を示すブロック図である。信号送信システムは、周囲の電波状況を取得するために受信した複数の無線信号を周波数多重化して送信する送信側の伝送装置１と、伝送装置１から送信された伝送信号を受信して当該伝送信号に含まれる無線信号それぞれを分離する受信側の伝送装置２とを備えている。
【００１３】
伝送装置１は、周囲の電波状況をセンシングするにあたり、複数の周波数帯の無線信号を隣接する所定の周波数帯（例えば、ベースバンド帯やＩＦ（Intermediate Frequency；中間周波数）帯）にダウンコンバートし同時に伝送する。この場合、複数の周波数帯の無線信号を、所定の周波数帯における周波数分割多重によって伝送することと等価になる。
【００１４】
送信側の伝送装置１は、アンテナ１１、広帯域低雑音増幅器１２、複数の局部発振信号生成器１３−１〜１３−ｋ、信号分配器１４、ミキサ１５、ミキサ１６、アナログ／デジタル変換器１７、アナログ／デジタル変換器１８、及び、パラレル／シリアル変換器１９を備えている。
【００１５】
広帯域低雑音増幅器１２は、アンテナ１１で受信した受信信号であって複数の無線信号を含む受信信号を増幅してミキサ１５及びミキサ１６に出力する。無線信号は、信号伝送システムにおいて伝送装置１と伝送装置２との間において伝送の対象となる２つ以上信号であり、異なる周波数帯の信号である。
【００１６】
局部発振信号生成器１３−１〜１３−ｋは、無線信号に対応して設けられており、対応する無線信号を所定の周波数帯、例えばベースバンド帯やＩＦ帯に周波数変換するための局部発振信号を生成し、生成した局部発振信号を信号分配器１４に出力する。なお、局部発振信号の周波数は、無線信号を所定の周波数帯に周波数変換した際に、各無線信号に対応する信号の順序が無線周波数の周波数帯の順序と一致し、かつ各信号の間隔が一定の周波数間隔になるように、無線信号の周波数帯と所定の周波数帯とに基づいて予め定められる。
【００１７】
信号分配器１４は、局部発振信号生成器１３−１〜１３−ｋそれぞれから出力される局部発振信号をミキサ１５とミキサ１６とに出力する。信号分配器１４がミキサ１５に出力する局部発振信号は、局部発振信号生成器１３−１〜１３−ｋそれぞれから出力される局部発振信号そのものである。一方、信号分配器１４がミキサ１６に出力する局部発振信号は、各局部発振信号に対応する無線信号の周波数帯順に、信号分配器１４からミキサ１５に出力される局部発振信号に対して、同相の局部発振信号と逆相の局部発振信号とが交互に現れるように、局部発振信号の位相をπずらしたものである。
【００１８】
ミキサ１５（第１の周波数変換部）は、広帯域低雑音増幅器１２から出力される信号と、信号分配器１４から出力される各局部発振信号とを乗算して、乗算により得られた信号をアナログ／デジタル変換器１７に出力する。ミキサ１５における乗算により、信号に含まれる各無線信号は所定の周波数帯にダウンコンバートされる。所定の周波数帯へ周波数変換された各無線信号に対応する信号の周波数方向の順序は、各無線信号の周波数の大小関係と一致する。
【００１９】
ミキサ１６（第２の周波数変換部）は、広帯域低雑音増幅器１２から出力される信号と、信号分配器１４から出力される局部発振信号であって周波数が近接する局部発振信号間において逆相になっている局部発振信号とを乗算する。ミキサ１６は、乗算により得られた信号をアナログ／デジタル変換器１８に出力する。ミキサ１６における乗算により、信号に含まれる各無線信号は所定の周波数帯にダウンコンバートされる。ミキサ１６から出力される所定の周波数帯へ周波数変換された各無線信号に対応する信号は、隣り合う他の信号と逆相の信号（位相がπずれた信号）である。また、ミキサ１６から出力される各無線信号に対応する信号は、ミキサ１６から出力される各無線信号に対応する信号に対して同相の信号と逆相の信号とが周波数順に交互に並ぶことになる。
【００２０】
アナログ／デジタル変換器１７は、ミキサ１５から出力される信号を所定のサンプリングレートでアナログ信号からデジタル信号に変換して、パラレル／シリアル変換器１９に出力する。アナログ／デジタル変換器１８は、ミキサ１６から出力される信号を、アナログ／デジタル変換器１８と同じサンプリングレートでアナログ信号からデジタル信号に変換して、パラレル／シリアル変換器１９に出力する。
【００２１】
パラレル／シリアル変換器１９（送信部）は、アナログ／デジタル変換器１７から出力されるデジタル信号列と、アナログ／デジタル変換器１８から出力されるデジタル信号列とを１つのデジタル信号列に変換し、変換により得られたデジタル信号列を伝送信号として受信側の伝送装置２に送信する。
【００２２】
受信側の伝送装置２は、シリアル／パラレル変換器２１、デジタル／アナログ変換器２２、デジタル／アナログ変換器２３、信号加算器２４、信号減算器２５、スイッチ２６、及び、帯域通過フィルタ２７−１〜２７−ｋを備えている。
【００２３】
シリアル／パラレル変換器２１（受信部）は、送信側の伝送装置１のパラレル／シリアル変換器１９から送信された多重化信号を受信する。シリアル／パラレル変換器２１は、パラレル／シリアル変換器１９が行った変換に対応する変換で多重化信号を２つのデジタル信号列に変換する。シリアル／パラレル変換器２１は、２つのデジタル信号列のうち一方のデジタル信号列をデジタル／アナログ変換器２２に入力し、他方のデジタル信号列をデジタル／アナログ変換器２３に入力する。
【００２４】
デジタル／アナログ変換器２２は、アナログ／デジタル変換器１８におけるサンプリングレートに対応するサンプリングレートで、シリアル／パラレル変換器２１から入力されるデジタル信号列をアナログ信号に変換する。デジタル／アナログ変換器２２は、変換により得られたアナログ信号を信号加算器２４と信号減算器２５とに出力する。
【００２５】
デジタル／アナログ変換器２３は、デジタル／アナログ変換器２２と同様に、アナログ／デジタル変換器１８におけるサンプリングレートに対応するサンプリングレートで、シリアル／パラレル変換器２１から入力されるデジタル信号列をアナログ信号に変換する。デジタル／アナログ変換器２３は、変換により得られたアナログ信号を信号加算器２４と信号減算器２５とに出力する。
【００２６】
信号加算器２４は、デジタル／アナログ変換器２２から出力されるアナログ信号と、デジタル／アナログ変換器２３から出力されるアナログ信号とを加算し、加算結果の信号をスイッチ２６に出力する。信号加算器２４による加算によって、送信側の伝送装置１のミキサ１５及びミキサ１６で位相が異なる（πずれた）局部発振信号でダウンコンバートされた無線信号は、逆相の信号が加算されることになるので互いに打ち消し合いキャンセルされる。すなわち、送信側の伝送装置１において所定の周波数帯にダウンコンバートされ一定の周波数間隔で周波数分割多重化されたｋ個の無線信号は、加算結果の信号の周波数軸上において、一つおきに現れることになる。
【００２７】
信号減算器２５は、デジタル／アナログ変換器２２から出力されるアナログ信号から、デジタル／アナログ変換器２３から出力されるアナログ信号を減算し、減算結果の信号をスイッチ２６に出力する。信号減算器２５による減算によって、送信側の伝送装置１のミキサ１５及びミキサ１６で同相の局部発振信号でダウンコンバートされた無線信号は、同相の信号が減算されることになるので打ち消されてキャンセルされる。すなわち、送信側の伝送装置１において所定の周波数帯にダウンコンバートされ一定の周波数間隔で周波数分割多重化されたｋ個の無線信号は、減算結果の信号の周波数軸上において、一つおきに現れることになる。
【００２８】
スイッチ２６は、信号加算器２４から出力される加算結果の信号と、信号減算器２５から出力される減算結果の信号とのいずれか一方を帯域通過フィルタ２７−１〜２７−ｋに出力する。スイッチ２６は、帯域通過フィルタ２７−１〜２７−ｋに出力する信号を所定のタイミングで切り替える。
【００２９】
帯域通過フィルタ２７−１〜２７−ｋは、無線信号に対応して設けられており、対応する無線信号が所定の周波数帯域にダウンコンバートされたときの周波数帯を通過帯域とするフィルタである。帯域通過フィルタ２７−１〜２７−ｋは、スイッチ２６から出力される信号から、自身に対応する無線信号の信号成分を分離して出力する。
【００３０】
本実施形態の信号伝送システムでは、周波数多重された無線信号を周波数順に一つおきに逆相に周波数変換する周波数変換器（ミキサ１６）と、同じくすべて同相に周波数変換する周波数変換器（ミキサ１５）と、２つの周波数変換器の出力を加算出力する信号加算器２４と、２つの周波数変換器の出力を減算出力する信号減算器２５とを備えることを特徴としている。この構成を備えることにより、信号加算器２４の出力と、信号減算器２５の出力とにおいて、それぞれ最近傍の周波数成分が抑圧され、無線信号をダウンコンバートした信号が周波数順に交互に出現することになり、周波数多重された無線信号を直接フィルタリングするのに比べて帯域通過フィルタ２７−１〜２７−ｋに対する要求条件を緩和することができる。
【００３１】
図２は、本実施形態における信号伝送システムの動作概要の一例を示す図である。図２（ａ）は、広帯域低雑音増幅器１２に入力される信号の概要を示す図である。同図において、横軸は周波数を示し縦軸は電力を示している。図２（ａ）には、異なる周波数帯における５つの無線信号が示されている。破線で示されている信号は、５つの無線信号をダウンコンバートした際に各無線信号に対応する信号が一定の周波数間隔を隔てて周波数変換されることを示している。また、破線で示されている信号は、ミキサ１５及びミキサ１６に入力される信号である。
【００３２】
図２（ｂ）は、ミキサ１５においてダウンコンバートされた各無線信号に対応する信号の概要を示す図である。図２（ｃ）は、ミキサ１６においてダウンコンバートされた各無線信号に対応する信号を示す図である。各図において、横軸は周波数を示し縦軸は位相を示している。また、各信号には図２（ａ）の対応する無線信号と同じハッチングが施されている。図２（ｂ）及び図２（ｃ）に示すように、ダウンコンバートされた各無線信号に対応する信号は、ミキサ１５及びミキサ１６から出力される信号間で、同相の信号と逆相の信号とが交互に現れるようにダウンコンバートされている。
【００３３】
図２（ｄ）は、信号加算器２４から出力される加算結果の信号の概要を示す図である。図２（ｅ）は、信号減算器２５から出力される減算結果の信号の概要を示す図である。各図において、横軸は周波数を示し縦軸は位相を示している。また、各信号には、図２（ｂ）及び図２（ｃ）と同様に、図２（ａ）の対応する無線信号と同じハッチングが施されている。図２（ｄ）及び図２（ｅ）に示すように、加算結果の信号及び減算結果の信号において、各無線信号に対応する信号は、一つおきにキャンセルされ、信号間の周波数間隔が広くなっている。
【００３４】
本実施形態の信号伝送システムでは、周波数分割多重によって伝送された複数の無線信号を２つに同相で分岐する。この２つの経路の信号に対し、周波数順に同相の局部発振信号と逆相の局部発振信号と交互に供給し周波数変換する。変換した信号を周波数順に、同相合成と逆相合成とを交互に行うことによって、最近傍の信号を抑制することができ、帯域通過フィルタ２７−１〜２７−ｋに要求される周波数分離特性を緩和することが可能となる。
【００３５】
換言すると、伝送対象の無線信号をダウンコンバートして得られた信号を周波数分割多重化して伝送し、伝送された信号から各無線信号の信号成分を分離する際には、周波数分割多重化したときの信号間の周波数間隔より信号間の周波数間隔を広くすることができる。これにより、周波数分割多重化して伝送した信号から、無線信号の信号成分を分離するための帯域通過フィルタ２７−１〜２７−ｋに要求される周波数分離特性を緩和することができる。
【００３６】
以上、この発明の実施形態について図面を参照して詳述してきたが、具体的な構成はこの実施形態に限られるものではなく、この発明の要旨を逸脱しない範囲の設計等も含まれる。例えば、図１には、伝送装置１と伝送装置２とを有線、例えば同軸線や光ファイバなど、で通信可能に接続している構成例が示されているが、無線を用いて伝送信号を送受信するようにしてもよい。
【００３７】
また、ミキサ１５とアナログ／デジタル変換器１７との間に、所定の周波数帯（例えば、ベースバンド帯やＩＦ帯）の信号を通過させる低域通過フィルタを設け、ミキサ１５から出力される信号に含まれる高調波を除去した後にアナログ／デジタル変換を行うようにしてもよい。同様に、ミキサ１６とアナログ／デジタル変換器１８との間に、所定の周波数帯の信号を通過させる低域通過フィルタを設けてもよい。また、送信側の伝送装置１におけるパラレル／シリアル変換と、受信側の伝送装置２におけるパラレル／シリアル変換とに代えて他の多重化手法を用いるようにしてもよい。
【００３８】
また、上述の実施形態では、伝送装置１が受信した無線信号を周波数多重化して送出する構成を説明したが、これに限らず、何らかの手法で取得した信号、例えば、光伝送された信号や、複数の無線受信局を介して受信した信号などを周波数多重化して送出するようにしてもよい。
【産業上の利用可能性】
【００３９】
周波数分割多重化された信号をフィルタを用いて分離することが不可欠な用途にも適用できる。
【符号の説明】
【００４０】
１、２…伝送装置
１１…アンテナ
１２…広帯域低雑音増幅器
１３−１、１３−２、１３−ｋ…局部発振信号生成器
１４…信号分配器
１５、１６…ミキサ
１７、１８…アナログ／デジタル変換器
１９…パラレル／シリアル変換器
２１…シリアル／パラレル変換器
２２、２３…デジタル／アナログ変換器
２４…信号加算器
２５…信号減算器
２６…スイッチ
２７−１、２７−２、２７−ｋ…帯域通過フィルタ
【要約】
【課題】周波数間隔を狭めて伝送された信号を分離する際の周波数分離特性を緩和する。
【解決手段】受信した信号に含まれる異なる周波数帯の複数の無線信号の周波数帯順に無線信号それぞれを予め定められた周波数帯域内に所定の周波数間隔を隔てて周波数変換する第１の変換部と、無線信号の周波数帯順に無線信号それぞれを第１の変換部において変換された無線信号に対して同相の信号と逆相の信号とを周波数順に交互に並ぶように、周波数帯域内に所定の周波数間隔を隔てて周波数変換する第２の変換部と、第１及び第２の変換部により得られた信号それぞれをデジタル信号に変換し、当該デジタル信号を多重化した多重化信号を送信する送信部と、送信部から多重化信号を受信し２つのデジタル信号に分離し当該デジタル信号をアナログ信号に変換する受信部と、２つのアナログ信号を加算する信号加算部と、２つのアナログ信号を減算する信号減算部とを備える。
【選択図】図１【図１】
0005588544.tif 000002
【図２】
0005588544.tif 000003